(57)【要約】【課題】配管の材料コストアップに繋がることがなく、本体の両側から製氷水と冷凍機の冷却水の給水ができ、かつ、製氷水の滞留による変質を防止した製氷機を提供する。【解決手段】冷凍機と製氷ユニットと貯氷庫とからなる製氷機において、給水管５１ａ，５１ｂの導入口５２ａ，５２ｂをケーシング５０の両サイドに開口し、上記導入口５２ａ，５２ｂのいずれか一方を通じて給水管５１ａ，５１ｂをケーシング５０内に導入し、導入した給水管５１ａ，５１ｂを、Ｌ形管継ぎ手５８を介して製氷ユニット５５に、あるいは製氷ユニット５５および凝縮器５７（図２）に配管したもので、上記導入口５２ａ，５２ｂとして、製氷用給水管の導入用のみ設けるか、製氷用給水管の導入用と凝縮器の冷却用給水管の導入用とを併設する。また、上記製氷機において、左導入口５２ａから導入された給水管５１ａは、右導入口５２ｂから導入される給水管５１ｂとして兼用できるようになる。【選択図】図１
2006292216.tif 000002
【特許請求の範囲】
【請求項１】
冷凍機と製氷ユニットと貯氷庫とからなる製氷機において、給水管の導入口をケーシングの両サイドに開口し、上記導入口のいずれか一方を通じて給水管をケーシング内に導入し、導入した給水管を、Ｌ形管継ぎ手を介して製氷ユニットに、あるいは製氷ユニットおよび凝縮器に配管したことを特徴とする製氷機。
【請求項２】
上記導入口として、製氷用給水管の導入用のみ設けたことを特徴とする請求項１に記載の製氷機。
【請求項３】
上記導入口として、製氷用給水管の導入用と凝縮器の冷却用給水管の導入用とを併設したことを特徴とする請求項１に記載の製氷機。
【請求項４】
左導入口５２ａから導入された給水管５１ａは、右導入口５２ｂから導入される給水管５１ｂとして兼用できるようにしたことを特徴とする請求項１または２に記載の製氷機。
【請求項５】
左導入口５２ａから導入された給水管５１ａは、右導入口５２ｙから導入される給水管５１ｙとして兼用できるようにし、左導入口５２ｘから導入された給水管５１ｘは、右導入口５２ｂから導入される給水管５１ｂとして兼用できるようにしたことを特徴とする請求項１または３に記載の製氷機。
【発明の詳細な説明】
【技術分野】
【０００１】
この発明は、製氷機の給水配管に関する。
【背景技術】
【０００２】
製氷機の給水源が右側にある場合と左側にある場合とがあり、こうした事態に対応するために、図３に示すようにケーシング５０の左右に給水管５１の導入口５２を設け、その間に給水管５１を引き通し、途中Ｔ形管継ぎ手５３を介在させて途中ソレノイドバルブ５４を経て製氷ユニット５５に給水するようにしている。
【０００３】
図３（ａ）はケーシング５０の左側の導入口５２ａから給水するもので、Ｔ形管継ぎ手５３の右側に延びる給水管５１ｂは接続を外して遊び状態にして盲栓５６をしている。図３（ｂ）はケーシング５０の右側の導入口５２ｂから給水するもので、Ｔ形管継ぎ手５３の左側に延びる短い給水管５１ａは接続を外して遊び状態にして盲栓５６をしている。
【０００４】
図４は、製氷機への給水と、凝縮器への冷却水供給を行う場合のもので、図４（ａ）はケーシング５０の左側の導入口５２ａから給水するもので、導入口５２ａから延びる短い給水管５１ａの端に第１のＴ形管継ぎ手５３ａが接続され、それから右に給水管５１ｃが延び、その端に第２のＴ形管継ぎ手５３ｂがセットされ、第２のＴ形管継ぎ手５３ｂの右側は、給水管５１ｂの接続を外して遊び状態で盲栓５６とし、第１のＴ形管継ぎ手５３ａで分岐された給水管５１ｄはソレノイドバルブ５４を経て製氷ユニット５５に至り、第２のＴ形管継ぎ手５３ｂで分岐された給水管５１ｅは凝縮器５７に至る。
【０００５】
図４（ｂ）はケーシング５０の右側の導入口５２ｂから給水するもので、導入口５２ｂから延びる短い給水管５１ｂの端には、第２のＴ形管継ぎ手５３ｂが繋がり、その左側に延びる給水管５１ｃの端には第１のＴ形管継ぎ手５３ａがセットされ、第１のＴ形管継ぎ手５３ａの左側は、給水管５１ａの接続を外して遊び状態で盲栓５６とし、第１のＴ形管継ぎ手５３ａで分岐された給水管５１ｄはソレノイドバルブ５４を経て製氷ユニット５５に至り、第２のＴ形管継ぎ手５３ｂで分岐された給水管５１ｅは凝縮器５７に至る。
【０００６】
上記製氷機では、Ｔ形管継ぎ手５３の盲栓５６側で供給水の滞留が起こり、供給水の変質の恐れがあるため、その対策を施したものとして特許文献１および特許文献２がある。
【０００７】
【特許文献１】特開平０６−１１７７４１号公報（要約および図１）
【特許文献２】特開平０７−２９４０７８号公報（要約および図１）
【０００８】
上記特許文献１の技術は「確実に製氷水を製氷装置に供給することができると共に、滞留による製氷水の変質を防止する」ことを目的とし、「製氷ユニット２の一側壁２ａに形成された第１の給水導入口３に水源が接続された場合には、他側壁２ｂに形成された第２の給水導入口４に向かった水源からの水を、一端が接続管５の第２の給水導入口４の近傍に、他端が製氷水配管６にそれぞれ接続されたバイパス管１０を通って製氷水配管６に向かわせる。また、水源が第２の給水導入口４に接続された場合には、水源からの水を、接続管５を通って製氷水配管６に向かう水と、製氷水配管６に直接向かう水とに分岐する」構成としたものである。
【０００９】
また、特許文献２の技術は「本体両側の何れからも確実に給水でき、製氷水の滞留による変質を防止し、組み立て簡単な製氷機を提供する」ことを目的とし、「第１、第２の給水接続口３１，３２と、第２の給水接続口３２に接続された接続管３３と、接続管３３内に間隔を有して挿入された製氷水案内管３４と、水を製氷装置に供給するための製氷水配管４４と、分岐管本体３８開口３７より相互に鋭角を成して分岐した第１、第２の分岐路４１，４２を具備し、分岐管本体開口３７が接続管３３に接続され、第１の給水接続口３１の近傍にて第１の分岐路４１が第１の給水接続口３１に接続されると共に、第２の分岐路４２が製氷水配管４４に接続された分岐管３６とを備える。製氷水案内管３４の一端を第２の分岐路４２に進入させ、他端を第２の給水接続口３２近傍に配置する」構成としたものである。
【発明の開示】
【発明が解決しようとする課題】
【００１０】
上記特許文献１および２の技術では、本体の両側から製氷水、冷却水を供給できるようにした点、製氷水の滞留による変質を防止した点については目的を達成している。しかし、いずれの技術も構造が複雑で配管の材料コストが嵩む問題がある。
【００１１】
上記問題に鑑みこの発明は、配管の材料コストアップに繋がることがなく、本体の両側から製氷水と冷凍機の冷却水の給水ができ、かつ、製氷水の滞留による変質を防止した製氷機を提供することを課題とする。
【課題を解決するための手段】
【００１２】
上記課題を解決するためにこの発明は、冷凍機と製氷ユニットと貯氷庫とからなる製氷機において、給水管の導入口をケーシングの両サイドに開口し、上記導入口のいずれか一方を通じて給水管をケーシング内に導入し、導入した給水管を、Ｌ形管継ぎ手を介して製氷ユニットに、あるいは製氷ユニットおよび凝縮器に配管したもので、上記導入口として、製氷用給水管の導入用のみ設けるか、製氷用給水管の導入用と凝縮器の冷却用給水管の導入用とを併設する。
【００１３】
上記製氷機において、左導入口５２ａから導入された給水管５１ａは、右導入口５２ｂから導入される給水管５１ｂとして兼用できるようになり、また左導入口５２ａから導入された給水管５１ａは、右導入口５２ｙから導入される給水管５１ｙとして兼用できるようにし、左導入口５２ｘから導入された給水管５１ｘは、右導入口５２ｂから導入される給水管５１ｂとして兼用できるようにする。
【発明の効果】
【００１４】
上記の如く構成するこの発明によれば、配管系統が複雑にならず、配管の材料コストアップにならないで、ケーシング両サイドから製氷水、冷却水の給水が可能で製氷水の給水系における滞留を防止し製氷水の変質を防止できる。また、給水管の導入口を右・左変更したとき、給水管を兼用できるのでコスト削減につながる。
【発明を実施するための最良の形態】
【００１５】
次にこの発明の実施の形態を、図面を参照しながら説明する。
【実施例１】
【００１６】
図１は実施例１の製氷ユニットに製氷水を給水する配管系を示す。図１（ａ）は、ケーシング５０の左側導入口５２ａを経て給水管５１ａが導入され、ケーシング５０の中央部に設けられたＬ形管継ぎ手５８を介して給水管５１ｄが延び、途中ソレノイドバルブ５４を介して製氷ユニット５５の貯水タンク５９に至る。
【００１７】
図１（ｂ）は、ケーシング５０の右側の導入口５２ｂを経て給水管５１ｂが導入され、ケーシング５０の中央部に設けられたＬ形管継ぎ手５８を介して給水管５１ｄが延び、途中ソレノイドバルブ５４を介して製氷ユニット５５の貯水タンク５９に至る。
【００１８】
実施例１では、左側の導入口５２ａを経て給水管５１ａを導入する場合と、右側の導入口５２ｂを経て給水管５１ｂを導入する場合とでは、Ｌ形管継ぎ手５８が９０度位相して給水管を接続替えしているだけで、導入口５２ａ，５２ｂと給水管５１ａ，５１ｂが兼用できることにより配管構造が簡単になり、かつ、配管材料が少なくなってコスト低減することができる。
【００１９】
また、この実施例では、左導入口５２ａから導入された給水管５１ａは、右導入口５２ｂから導入される給水管５１ｂとして兼用できるようになる。
【実施例２】
【００２０】
図２は実施例２の製氷ユニットに製氷水を給水する配管系と、凝縮器に冷却水を給水する配管系を示す。
【００２１】
図２（ａ）は、ケーシング５０の左側導入口５２ａと５２ｘを経て製氷用給水管５１ａと５１ｘが導入され、ケーシング５０の左側に設けられたＬ形管継ぎ手５８ａを介して給水管５１ｄが延び、途中ソレノイドバルブ５４を介して製氷ユニット５５の貯水タンク５９に至る。また、右側に設けられたＬ形管継ぎ手５８ｂを介して給水管５１ｅが延び凝縮器５７に至る。凝縮器５７から延びる配水管５１ｆには制水弁６０を介在させて経済的水量の排水を行う。
【００２２】
図２（ｂ）は、ケーシング５０の右側導入口５２ｂ，５２ｙを経て製氷用給水管５１ｂ，５１ｙが導入され、ケーシング５０の左側に設けられたＬ形管継ぎ手５８ａを介して給水管５１ｄが延び、途中ソレノイドバルブ５４を介して製氷ユニット５５の貯水タンク５９に至る。また、右側に設けられたＬ形管継ぎ手５８ｂを介して給水管５１ｅが延び凝縮器５７に至る。凝縮器５７から延びる配水管５１ｆには制水弁６０を介在させて経済的水量の排水を行う。
【００２３】
また、この実施例では、左導入口５２ａから導入された給水管５１ａは、右導入口５２ｙから導入される給水管５１ｙとして兼用できるようにし、左導入口５２ｘから導入された給水管５１ｘは、右導入口５２ｂから導入される給水管５１ｂとして兼用できる。
【産業上の利用可能性】
【００２４】
以上説明したようにこの発明により、配管系統が複雑にならず、配管の材料コストアップにならないで、ケーシング両サイドから製氷水、冷却水の給水が可能で製氷水の給水系における滞留を防止し製氷水の変質を防止できるようになった。
【図面の簡単な説明】
【００２５】
【図１】実施例１の配管系統図
【図２】実施例２の配管系統図
【図３】従来の製氷水給水配管系統図
【図４】同製氷水、冷却水給水配管系統図
【符号の説明】
【００２６】
５０  ケーシング
５１  給水管
５１ａ  左側給水管
５１ｂ  右側給水管
５１ｃ  中央の給水管
５２  導入口
５２ａ  左側導入口
５２ｂ  右側導入口
５２ｘ  製氷ユニットに向かう給水管
５２ｙ  凝縮器に向かう給水管
５３  Ｔ形管継ぎ手
５３ａ  左側Ｔ形管継ぎ手
５３ｂ  右側Ｔ形管継ぎ手
５４  ソレノイドバルブ
５５  製氷ユニット
５６  盲栓
５７  凝縮器
５８  Ｌ形管継ぎ手
５９  貯水タンク
６０  制水弁
【図１】
2006292216.tif 000003
【図２】
2006292216.tif 000004
【図３】
2006292216.tif 000005
【図４】
2006292216.tif 000006